(57)【要約】【課題】加熱庫２の側壁に、調理皿７を支持する上下複数段のレール６３を有する皿受枠６が設けられた加熱調理器であって、側壁の前部と後部に頭付きピンから成る第１と第２の係止ピン２５，２６が固定され、皿受枠６に、これら係止ピンに係合可能で、ピン頭部２５ｂ，２６ｂを挿通可能な下部の挿脱孔部６５ａ，６６ａを有する第１と第２の係止孔６５，６６が形成されると共に、調理皿用のストッパ部６４が設けられるものにおいて、調理皿７を下段のレール６３に支持させてストッパ部６４で制止される位置まで押し込むことにより、皿受枠６に第１係止ピン２５を支点にして後上りの回転モーメントが作用しても、第２係止ピン２６から第２係止孔６６が外れないようにする。【解決手段】側壁の前部に、第１係止ピン２５よりも下方又は上方に位置する第３係止ピン２７を固定し、第３係止ピン２７に皿受枠６に形成した第３係止孔６７を係合させる。【選択図】図１
2019020051.tif 000002
【特許請求の範囲】
【請求項１】
加熱庫の横方向両側の各側壁の内側面に、被調理物を載置する調理皿を支持する前後方向に長手の上下複数段の皿受レールを有する皿受枠が設けられた加熱調理器であって、
各側壁に、横方向内方に突出する係止ピンが固定されると共に、皿受枠に、係止ピンに係合可能な係止孔が形成され、係止ピンに係止孔を係合させることで皿受枠が各側壁に着脱自在に係止されるようにし、
皿受枠に、調理皿を任意の皿受レールに支持させた状態で前方から所定位置まで押し込んだときに調理皿の一部に当接してそれ以上調理皿が押し込まれないようにするストッパ部が設けられるものにおいて、
各側壁に、前部の第１係止ピンと、後部の第２係止ピンと、第１係止ピンよりも下方又は上方に位置する前部の第３係止ピンとが固定されると共に、皿受枠に、第１係止ピンに係合可能な前部の第１係止孔と、第２係止ピンに係合可能な後部の第２係止孔と、第３係止ピンに係合可能な、第１係止孔よりも下方又は上方に位置する前部の第３係止孔とが形成され、
第１乃至第３の係止ピンのうち少なくとも第１と第２の係止ピンは、軸部の先端から軸部の径方向に張出す頭部を有する頭付きピンで構成され、第１乃至第３の係止孔のうち頭付きピンに係合可能な係止孔は、頭付きピンの軸部に係合する上端部の下方に頭付きピンの頭部が横方向に挿通可能な挿脱孔部を有し、頭付きピンの軸部に係止孔の上端部が係合した状態では、頭付きピンの頭部が係止孔の上端部の周囲の皿受枠の部分に対向して、皿受枠が横方向に抜け止めされることを特徴とする加熱調理器。
【請求項２】
前記第３係止ピンは、軸部のみを有する頭無しピンとし、第３係止ピンに係合可能な前記第３係止孔は、第３係止ピンの軸部に係合する上下方向に長手の長孔で構成されることを特徴とする請求項１記載の加熱調理器。
【請求項３】
前記第３係止ピンの長さは、前記第１と第２の各係止ピンの軸部と頭部の合計長さより長いことを特徴とする請求項２記載の加熱調理器。
【発明の詳細な説明】
【技術分野】
【０００１】
本発明は、加熱庫の横方向両側の各側壁の内側面に、被調理物を載置する調理皿を支持する前後方向に長手の上下複数段の皿受レールを有する皿受枠が設けられた加熱調理器に関する。
【背景技術】
【０００２】
従来、この種の加熱調理器として、加熱庫の各側壁の前部と後部に、横方向内方に突出する各１個の係止ピンが固定されると共に、皿受枠の前部と後部に、各係止ピンに係合可能な各１個の係止孔が形成され、係止ピンに係止孔を係合させることで皿受枠が各側壁に着脱自在に係止されるようにしたものが知られている（例えば、特許文献１参照）。
【０００３】
ここで、各係止ピンは、軸部の先端から軸部の径方向に張出す頭部を有する頭付きピンで構成され、係止孔は、頭付きピンの軸部に係合する上端部の下方に頭付きピンの頭部が横方向に挿通可能な挿脱孔部を有している。そして、頭付きピンの頭部を係止孔の挿脱孔部に挿通して皿受枠の横方向内方に突出させた状態で皿受枠を下げ、頭付きピンの軸部に係止孔の上端部を係合させるようにしている。この状態では、頭付きピンの頭部が係止孔の上端部の周囲の皿受枠の部分に対向して、皿受枠が横方向に抜け止めされる。
【０００４】
ところで、加熱庫内での熱風の循環が調理皿により阻害されないようにするには、調理皿を適正な位置に位置決めする必要がある。そこで、皿受枠に、調理皿を任意の皿受レールに支持させた状態で前方から所定位置まで押し込んだときに調理皿の一部に当接してそれ以上調理皿が押し込まれないようにするストッパ部を設け、調理皿を所定位置に位置決めできるようにすることが望まれる。
【０００５】
然し、上記従来例の加熱調理器において、皿受枠にストッパ部を設けたのでは、以下の不具合を生ずる。即ち、調理皿を下段の皿受レールに支持させてストッパ部で制止される位置まで押し込むと、ストッパ部に作用する後方への押力により、皿受枠に前部の係止ピンを支点にして後上りの回転モーメント（皿受枠の後部が上方に変位する回転モーメント）が作用する。そして、この回転モーメントにより皿受枠が後上りに回動して、後部の係止孔が後部の係止ピンに対し上方にずれ、係止孔の挿脱孔部が係止ピンの頭部に合致して、係止ピンから係止孔が外れてしまう。
【先行技術文献】
【特許文献】
【０００６】
【特許文献１】特開平８−１３５９８２号公報（段落０００４、図６）
【発明の概要】
【発明が解決しようとする課題】
【０００７】
本発明は、以上の点に鑑み、皿受枠にストッパ部を設けることで皿受枠に後上りの回転モーメントが作用しても、後部の係止ピンから係止孔が外れるといった不具合を生じないようにした加熱調理器を提供することをその課題としている。
【課題を解決するための手段】
【０００８】
上記課題を解決するために、本発明は、加熱庫の横方向両側の各側壁の内側面に、被調理物を載置する調理皿を支持する前後方向に長手の上下複数段の皿受レールを有する皿受枠が設けられた加熱調理器であって、各側壁に、横方向内方に突出する係止ピンが固定されると共に、皿受枠に、係止ピンに係合可能な係止孔が形成され、係止ピンに係止孔を係合させることで皿受枠が各側壁に着脱自在に係止されるようにし、皿受枠に、調理皿を任意の皿受レールに支持させた状態で前方から所定位置まで押し込んだときに調理皿の一部に当接してそれ以上調理皿が押し込まれないようにするストッパ部が設けられるものにおいて、各側壁に、前部の第１係止ピンと、後部の第２係止ピンと、第１係止ピンよりも下方又は上方に位置する前部の第３係止ピンとが固定されると共に、皿受枠に、第１係止ピンに係合可能な前部の第１係止孔と、第２係止ピンに係合可能な後部の第２係止孔と、第３係止ピンに係合可能な、第１係止孔よりも下方又は上方に位置する前部の第３係止孔とが形成され、第１乃至第３の係止ピンのうち少なくとも第１と第２の係止ピンは、軸部の先端から軸部の径方向に張出す頭部を有する頭付きピンで構成され、第１乃至第３の係止孔のうち頭付きピンに係合可能な係止孔は、頭付きピンの軸部に係合する上端部の下方に頭部が横方向に挿通可能な挿脱孔部を有し、頭付きピンの軸部に係止孔の上端部が係合した状態では、頭付きピンの頭部が係止孔の上端部の周囲の皿受枠の部分に対向して、皿受枠が横方向に抜け止めされることを特徴とする。
【０００９】
本発明によれば、皿受枠が第１係止孔を中心にして後上りに回動した場合、第１係止孔よりも下方又は上方に位置する第３係止孔は後方又は前方に変位するが、この変位は第３係止孔が係合する第３係止ピンにより阻止される。従って、調理皿を下段の皿受レールに支持させてストッパ部で制止される位置まで押し込むことにより、皿受枠に第１係止ピンを支点にして後上りの回転モーメントが作用しても、この回転モーメントは第３係止ピンで受け止められて、皿受枠が後上りに回動することはない。従って、皿受枠の後部の第２係止孔が第２係止ピンに対し上方にずれることはなく、第２係止ピンから第２係止孔が外れることを防止できる。
【００１０】
ところで、第３係止ピンも頭付きピンとした場合、各側壁に皿受枠を装着する際に、第１乃至第３の３個の係止孔の挿脱孔部を第１乃至第３の３個の係止ピンの頭部に同時に位置合わせして、３個の係止ピンの頭部を３個の係止孔の挿脱孔部に挿通するという面倒な作業が必要になり、組み付け作業性が悪くなる。そのため、第３係止ピンを、軸部のみを有する頭無しピンとし、第３係止ピンに係合可能な第３係止孔を、第３係止ピンの軸部に係合する上下方向に長手の長孔で構成することが望ましい。これによれば、先ず、第３係止孔を第３係止ピンに係合させてから、第１と第２の２個の係止孔の挿脱孔部を第１と第２の２個の係止ピンの頭部に位置合わせして、これら２個の係止ピンの頭部を２個の係止孔の挿脱孔部に挿通すればよく、３箇所での同時の位置合わせが不要となり、更に、第３係止ピンへの第３係止孔の係合で、皿受枠が前後方向にラフに位置決めされるため、第１と第２の両係止ピンの頭部に対する第１と第２の両係止孔の挿脱孔部の位置合わせが容易になり、組み付け作業性が向上する。
【００１１】
この場合、第３係止ピンの軸部の長さを、第１と第２の各係止ピンの軸部と頭部の合計長さより長くすることが望ましい。これによれば、第３係止孔の形成箇所が第１と第２の係止孔の形成箇所より横方向外側に位置するように皿受枠を横方向に傾けなくても、最初に第３係止孔を第３係止ピンに係合させることができ、組み付け作業性が一層向上する。
【図面の簡単な説明】
【００１２】
【図１】本発明の実施形態の加熱調理器の切断側面図。
【図２】図１のＩＩ−ＩＩ線で切断した断面図。
【図３】実施形態の加熱調理器が具備する皿受枠の斜視図。
【発明を実施するための形態】
【００１３】
図１を参照して、本発明の実施形態の加熱調理器は、外装ケース１を備えており、この外装ケース１内に、加熱庫２と、加熱庫２の下方のバーナ３１を内蔵する燃焼室３と、加熱庫２の後方の循環ファン４と、加熱庫２の上方の排気ダクト５とが配置されている。外装ケース１の前面上部には操作パネル１１が設けられている。また、加熱庫２の前面には、下端の支軸２１ａで開閉自在に支持される前面扉２１が設けられている。加熱庫２の後壁２２の後側には、燃焼室３に連なると共に、後壁２２に形成した通気孔２２ａを介して加熱庫２内に連通する混合室３２が設けられている。
【００１４】
循環ファン４は、混合室３２の後方に位置するファンケーシング４１と、モータ４２で回転駆動されるファンケーシング４１内の羽根車４３とを備えている。ファンケーシング４１には、混合室３２に連通する前面中央部の吸込み口４１ａと、加熱庫２内に連通する吹出し口４１ｂとが設けられている。そして、羽根車４３の回転により、バーナ３１の燃焼ガスが加熱庫２内の空気と共に混合室３２を介して吸込み口４１ａからファンケーシング４１内に吸込まれ、吹出し口４１ｂから熱風となって加熱庫２内に送風されるようにしている。また、加熱庫２内の空気の一部は、加熱庫２の上壁２３に開設した排気口２３ａから排気ダクト５を介して外部に排出される。
【００１５】
加熱庫２の横方向両側の各側壁２４の内側面には、皿受枠６が設けられている。図２、図３も参照して、皿受枠６は、上下方向にのびる前後一対の枠部６１，６２と、前後の枠部６１，６２に跨るようにして設けた前後方向に長手の上下複数段（本実施形態では５段）の皿受レール６３とを有している。そして、各皿受レール６３に、被調理物を載置する調理皿７をその外周フランジ部７ａで支持させるようにしている。
【００１６】
また、加熱庫２内での熱風の循環が調理皿７により阻害されないようにするには、調理皿７を適正な位置に位置決めする必要がある。そこで、皿受枠６に、調理皿７を任意の皿受レール６３に支持させた状態で前方から所定位置まで押し込んだときに調理皿７の一部に当接してそれ以上調理皿７が押し込まれないようにするストッパ部６４を設け、調理皿７を所定位置に位置決めできるようにしている。具体的には、後枠部６２の後縁に曲成した横方向内方への屈曲部でストッパ部６４を構成している。そして、調理皿７が所定位置まで押し込まれたときに、調理皿７の外周フランジ部７ａの後縁にストッパ部６４が当接してそれ以上調理皿７が押し込まれないようにしている。
【００１７】
また、加熱庫２の各側壁２４には、前部の第１係止ピン２５と、後部の第２係止ピン２６と、第１係止ピン２５よりも下方に位置する前部の第３係止ピン２７とが夫々かしめ等によって固定されている。一方、皿受枠６には、これら第１乃至第３の係止ピン２５〜２７に係合可能な第１乃至第３の係止孔６５〜６７が形成されている。具体的には、皿受枠６の前部たる前枠部６１に、第１係止ピン２５に係合可能な第１係止孔６５と、第３係止ピン２７に係合可能な、第１係止孔６５よりも下方に位置する第３係止孔６７とを形成し、皿受枠６の後部たる後枠部６２に、第２係止ピン２６に係合可能な第２係止孔６６を形成している。そして、第１乃至第３の各係止ピン２５〜２７に第１乃至第３の各係止孔６５〜６７を係合させることで、皿受枠６が各側壁２４に着脱自在に係止されるようにしている。
【００１８】
ここで、第１と第２の両係止ピン２５，２６は、軸部２５ａ，２６ａの先端から軸部２５ａ，２６ａの径方向に張出す頭部２５ｂ，２６ｂを有する頭付きピンで構成され、第３係止ピン２７は、軸部２７ａのみを有する頭無しピンで構成されている。第３係止ピン２７の軸部２７ａの長さは、第１と第２の各係止ピン２５，２６の軸部２５ａ，２６ａと頭部２５ｂ，２６ｂの合計長さよりも長い。尚、本実施形態において、第１と第２の各係止ピン２５，２６の頭部は、軸部２５ａ，２６ａの全ての径方向に張出しているが、軸部２５ａ，２６ａの径方向に含まれる上方と前方と後方の何れか一方向にのみ張出すものであってもよい。
【００１９】
頭付きピンたる第１と第２の各係止ピン２５，２６に係合可能な第１と第２の各係止孔６５，６６は、第１と第２の各係止ピン２５，２６の軸部２５ａ，２６ａに係合する上端部の下方に、第１と第２の各係止ピン２５，２６の頭部２５ｂ，２６ｂが横方向に挿通可能な挿脱孔部６５ａ，６６ａを有している。一方、第３係止ピン２７に係合可能な第３係止孔６７は、第３係止ピン２７の軸部２７ａに係合する上下方向に長手の長孔で構成されている。
【００２０】
皿受枠６を各側壁２４に装着する際は、先ず、第３係止孔６７を第３係止ピン２７の軸部２７ａに係合させ、次に、第１と第２の２個の係止孔６５，６６の挿脱孔部６５ａ，６６ａを第１と第２の２個の係止ピン２５，２６の頭部２５ｂ，２６ｂに位置合わせして、これら２個の係止ピン２５，２６の頭部２５ｂ，２６ｂを２個の係止孔６５，６６の挿脱孔部６５ａ，６６ａに挿通する。次に、皿受枠６を下げて、第１と第２の各係止ピン２５，２６の軸部２５ａ，２６ａに第１と第２の各係止孔６５，６６の上端部を係合させる。これにより、第１と第２の各係止ピン２５，２６の頭部２５ｂ，２６ｂが第１と第２の各係止孔６５，６６の上端部の周囲の皿受枠６の部分に対向して、皿受枠６が前後２箇所で横方向に抜け止めされる。そのため、第３係止ピン２７を頭無しピンとしても、皿受枠６を各側壁２４に安定して係止できる。尚、第１と第２の各係止ピン２５，２６の軸部２５ａ，２６ａに第１と第２の各係止孔６５，６６の上端部が係合すれば、皿受枠６の荷重が第１と第２の両係止ピン２５，２６で受けられて、皿受枠６が安定に支持される。そのため、第１と第２の各係止ピン２５，２６の軸部２５ａ，２６ａに第１と第２の各係止孔６５，６６の上端部が係合した状態で、第３係止孔６７の上端部が第３係止ピン２７の軸部２７ａより上方に位置していてもよい。
【００２１】
ところで、第３係止ピン２７も頭付きピンで構成した場合、第１乃至第３の３個の係止孔６５〜６７の挿脱孔部を第１乃至第３の３個の係止ピン２５〜２７の頭部に同時に位置合わせして、３個の係止ピン２５〜２７の頭部を３個の係止孔６５〜６７の挿脱孔部に挿通するという面倒な作業が必要になり、組み付け作業性が悪くなる。これに対し、本実施形態によれば、上記の如く第３係止孔６７を第３係止ピン２７に係合させてから、第１と第２の両係止孔６５，６６の挿脱孔部６５ａ，６６ａを第１と第２の両係止ピン２５，２６の頭部２５ｂ，２６ｂに位置合わせすればよく、３箇所での同時の位置合わせが不要となる。更に、第３係止ピン２７への第３係止孔６７の係合で、皿受枠６が前後方向にラフに位置決めされるため、第１と第２の両係止ピン２５，２６の頭部２５ｂ，２６ｂに対する第１と第２の両係止孔６５，６６の挿脱孔部６５ａ，６６ａの位置合わせが容易になり、組み付け作業性が向上する。
【００２２】
更に、本実施形態では、第３係止ピン２７の軸部２７ａの長さが、第１と第２の各係止ピン２５，２６の軸部２５ａ，２６ａと頭部２５ｂ，２６ｂの合計長さより長いため、第３係止孔６７の形成箇所が第１と第２の係止孔６５，６６の形成箇所より横方向外側に位置するように皿受枠６を横方向に傾けなくても、最初に第３係止孔６７を第３係止ピン２７に係合させることができ、組み付け作業性が一層向上する。
【００２３】
また、皿受枠６が第１係止孔６５を中心にして後上りに回動した場合、第１係止孔６５よりも下方に位置する第３係止孔６７は後方に変位するが、この変位は第３係止孔６７が係合する第３係止ピン２７により阻止される。従って、調理皿７を下段の皿受レール６３に支持させてストッパ部６４で制止される位置まで押し込むことにより、皿受枠６に第１係止ピン２５を支点にして後上りの回転モーメントが作用しても、この回転モーメントは第３係止ピン２７で受け止められて、皿受枠６が後上りに回動することはない。従って、皿受枠６の後部の第２係止孔６６が第２係止ピン２６に対し上方にずれることはなく、第２係止ピン２６から第２係止孔６６が外れることを防止できる。
【００２４】
以上、本発明の実施形態について図面を参照して説明したが、本発明はこれに限定されない。例えば、上記実施形態の加熱調理器は、加熱庫２内に熱風を循環させて加熱する方式のものであるが、他の加熱方式の加熱調理器であっても同様に本発明を適用できる。また、第１係止ピン２５を上記実施形態のものよりも低い位置に設けて、これより上方に第３係止ピン２７を設けることも可能である。更に、上記実施形態では、皿受枠６を、皿受レール６３の前後の各端部を結合する前後の枠部６１，６２を備えるものとしているが、皿受レール６３の前後の両端部を結合する１枚の板材を備えるものとすることも可能である。
【符号の説明】
【００２５】
２…加熱庫、２４…側壁、２５…第１係止ピン、２５ａ…第１係止ピンの軸部、２５ｂ…第１係止ピンの頭部、２６…第２係止ピン、２６ａ…第２係止ピンの軸部、２６ｂ…第２係止ピンの頭部、２７…第３係止ピン、２７ａ…第３係止ピンの軸部、６…皿受枠、６３…皿受レール、６４…ストッパ部、６５…第１係止孔、６５ａ…第１係止孔の挿脱孔部、６６…第２係止孔、６６ａ…第２係止孔の挿脱孔部、６７…第３係止孔、７…調理皿。
【図１】
2019020051.tif 000003
【図２】
2019020051.tif 000004
【図３】
2019020051.tif 000005